(57)【要約】【課題】テープ封緘箱の開封機構の作業性を改善し、高さの低い箱でも容易に開封できるようにする。【解決手段】端壁１と内フラップ３とに跨がった切込１１の間に、両端が端壁１と内フラップ３とに繋がり、外フラップ４の突合部からテープＴの端部が貼り付けられる押開片１２を形成し、押開片１２の内フラップ３との境界に山折線１３を、端壁１との境界に谷折線１４をそれぞれ入れ、押開片１２には、端壁１と内フラップ３の稜線に一致する山折線１５を境界として、その端壁１側部分に山折線１６を入れると共に、狭幅部１７を設け、テープＴが押開片１２の狭幅部１７から側方へはみ出して端壁１に貼り付けられるようにする。外フラップ４の突合縁に臨む端部を押すと、押開片１２の内フラップ３側部分が押され、端壁１側部分が外側へ突出するように折れ曲がり、押開片１２の狭幅部１７からはみ出したテープＴの端部が端壁から浮き上がる。【選択図】図３
2014046920.tif 000002
【特許請求の範囲】
【請求項１】
端壁(1)に連設した内フラップ(3)を折り曲げ、側壁(2)に連設した外フラップ(4)を内フラップ(3)に重ね、外フラップ(4)の先端同士の突合部から端壁(1)までテープ(T)を貼り付けて封緘する箱の開封機構において、前記端壁(1)と内フラップ(3)とに跨がった切込(11)の間に、両端が端壁(1)と内フラップ(3)とに繋がり、テープ(T)の端部が貼り付けられる押開片(12)を形成し、押開片(12)の内フラップ(3)との境界に山折線(13)を、端壁(1)との境界に谷折線(14)をそれぞれ入れ、押開片(12)には、端壁(1)と内フラップ(3)の稜線に一致する山折線(15)を境界として、その端壁(1)側部分に山折線(16)を入れると共に、狭幅部(17)を設けて、テープ(T)が押開片(12)の狭幅部(17)から側方へはみ出して端壁(1)に貼り付けられるようにしておき、外フラップ(4)の突合縁に臨む端部を押すと、押開片(12)の内フラップ(3)側部分が押され、端壁(1)側部分が外側へ突出するように折れ曲がり、押開片(12)の狭幅部(17)からはみ出したテープ(T)の端部が端壁(1)から浮き上がるようにしたことを特徴とするテープ封緘箱の開封機構。
【請求項２】
前記押開片(12)の内フラップ(3)側部分に谷折線(18)を入れて、外フラップ(4)の突合縁に臨む端部を押すと、押開片(12)の内フラップ(3)側部分が窪む方向へ折れ曲がるようにしたことを特徴とする請求項１に記載のテープ封緘箱の開封機構。
【発明の詳細な説明】
【技術分野】
【０００１】
この発明は、テープにより封緘する箱に備えられ、箱の開封を補助する開封機構に関するものである。
【背景技術】
【０００２】
一般に、テープにより封緘した段ボール箱は、テープの端が捲りにくく、開封しにくいため、下記特許文献１において、開封を補助する開封機構を備えた段ボール箱が提案されている。この段ボール箱は、図９に示すように、端壁５１に連設した内フラップ５３を折り曲げ、側壁５２に連設した外フラップ５４を内フラップ５３に重ね、外フラップ５４の先端同士の突合部から端壁５１までテープＴを貼り付けて封緘される。
【０００３】
この段ボール箱の開封機構は、端壁５１から内フラップ５３へかけて切込を入れ、基部の端壁５１側が台形状となり、その斜辺寄りにテープＴが貼り付けられ、先端側が内フラップ５３から切り離された押込片５５を形成し、押込片５５の端壁５１との境界に山折線５６を入れ、外フラップ５４には、押込片５５の内フラップ５３側部分に重なり、かつ、テープＴで覆われない位置に押下片５７を形成したものとされている。
【０００４】
この開封機構により段ボール箱を開封する際、外フラップ５４から押下片５７を押し下げると、押込片５５の先端側部分も押し下げられて、内フラップ５３から厚さ方向に分離し、その状態で、押込片５５の端壁５１側部分を内側へ押し込むと、テープＴの端部と押込片５５の間に隙間ができるので、テープＴの端部を摘んで、テープＴを端壁５１及び外フラップ５４から剥がすことができる。
【先行技術文献】
【特許文献】
【０００５】
【特許文献１】特開２００６−８２８４３号公報
【発明の概要】
【発明が解決しようとする課題】
【０００６】
しかしながら、上記のような開封機構では、開封時に、押下片５７を押し下げつつ、押込片５５を押し込まなければならず、方向の異なる２面からの操作が必要となり、特に、高さの低い段ボール箱の場合、垂直面での押込が難しくなり、作業性に問題がある。
【０００７】
そこで、この発明は、テープ封緘箱の開封機構の作業性を改善し、高さの低い箱でも容易に開封できるようにすることを課題とする。
【課題を解決するための手段】
【０００８】
上記課題を解決するため、この発明では、端壁に連設した内フラップを折り曲げ、側壁に連設した外フラップを内フラップに重ね、外フラップの先端同士の突合部から端壁までテープを貼り付けて封緘する箱の開封機構において、前記端壁と内フラップとに跨がった切込の間に、両端が端壁と内フラップとに繋がり、テープの端部が貼り付けられる押開片を形成し、押開片の内フラップとの境界に山折線を、端壁との境界に谷折線をそれぞれ入れ、押開片には、端壁と内フラップの稜線に一致する山折線を境界として、その端壁側部分に山折線を入れると共に、狭幅部を設けて、テープが押開片の狭幅部から側方へはみ出して端壁に貼り付けられるようにしておき、外フラップの突合縁に臨む端部を押すと、押開片の内フラップ側部分が押され、端壁側部分が外側へ突出するように折れ曲がり、押開片の狭幅部からはみ出したテープの端部が端壁から浮き上がるようにしたのである。
【０００９】
また、押開片の端壁側部分が外側へ確実に折れ曲がるようにするため、押開片の内フラップ側部分に谷折線を入れて、外フラップの突合縁に臨む端部を押すと、押開片の内フラップ側部分が窪む方向へ折れ曲がるようにしたのである。
【発明の効果】
【００１０】
この発明に係るテープ封緘箱の開封機構では、テープが貼られた外フラップの突合縁に臨む端部を押すだけで、押開片が折れ曲がり、押開片の狭幅部からはみ出したテープの端部が端壁から浮き上がるので、その浮き上がったテープの端部を摘み、テープを端壁及び外フラップから剥がすことにより、箱を容易に開封することができる。
【００１１】
このとき、垂直面での押込操作が不要であることから、高さの低い箱であっても、作業が困難となることがない。
【図面の簡単な説明】
【００１２】
【図１】この発明の実施形態に係る開封機構を備えた段ボール箱のブランクを示す図
【図２】同上のテープ封緘状態を示す斜視図
【図３】同上の開封機構による開封過程を示す斜視図
【図４】同上の部分拡大斜視図
【図５】同上の縦断側面図
【図６】同上の段ボール箱からテープを剥がす過程を示す斜視図
【図７】他の実施形態を示すブランクの部分図
【図８】同上の開封過程を示す拡大斜視図
【図９】従来の開封機構による開封過程を示す部分拡大斜視図
【発明を実施するための形態】
【００１３】
以下、この発明の実施形態を添付図面に基づいて説明する。
【００１４】
図１に示す段ボール箱のブランクでは、幅方向となる端壁１及び長さ方向となる側壁２が各一対交互に連設され、これらは高さが低いものとされている。端壁１及び側壁２の上端には、内フラップ３及び外フラップ４がそれぞれ連設され、端壁１及び側壁２の下端には、内フラップ５及び外フラップ６がそれぞれ連設されている。一方の側壁２の外側端には、継代片７が連設されている。
【００１５】
そして、開封機構として、端壁１と内フラップ３とに跨がった２条の切込１１の間に、帯状の押開片１２が形成されている。切込１１には、封緘性を考慮して、複数の繋部が設けられている。押開片１２の内フラップ３との境界には、山折線１３が入れられ、端壁１との境界には、谷折線１４が入れられている。
【００１６】
押開片１２には、端壁１と内フラップ３の稜線に一致する山折線１５を境界として、その端壁１側部分に幅方向の山折線１６が入れられ、山折線１６の下方は、後述する封緘用のテープＴよりも幅が狭い逆台形状の狭幅部１７とされている。
【００１７】
押開片１２の山折線１６より上方部分は、テープＴよりも幅が広く、押開片１２の内フラップ３側部分には、幅方向の谷折線１８が入れられている。
【００１８】
ここで、上記山折線は、他の稜線と同様、段ボールの裏面から押圧した押罫とされ、段ボールの表面側が突き出す方向へ折れ曲がるようにしたものであり、谷折線は、段ボールの表面又は裏面から押圧した押罫線に切目を入れたリード罫とされ、段ボールの表面側が窪む方向へ折れ曲がるようにしたものである。
【００１９】
このようなブランクを組み立てて物品を梱包する際には、図２に示すように、端壁１及び側壁２を境界の罫線で折り曲げて、継代片７を反対側の端壁１に貼り付け、各一対の端壁１及び側壁２を角筒状として、下方の内フラップ５及び外フラップ６を折り重ね、外フラップ６の先端同士の突合部から端壁１までテープＴを貼り付けて、底面を閉じる。
【００２０】
そして、この状態で、箱内に物品を収納し、上方の内フラップ３及び外フラップ４を折り重ね、外フラップ４の先端同士の突合部から端壁１まで、押開片１２の端壁１側部分に被さるようにテープＴを貼り付けて、天面を閉じることにより封緘する。このとき、テープＴの端部は、狭幅部１７から両側方へはみ出して、端壁１に貼り付けられる。
【００２１】
この封緘状態において、天面を閉じるテープＴの端部と、底面を閉じるテープＴの端部同士が重なっていても、後述する開封作業に問題が生じることはない。
【００２２】
上記のように封緘した段ボール箱を開封する際には、図３乃至図５に示すように、天面の外フラップ４の突合縁に臨む端部を上方から押し下げると、切込１１の繋部が破断し、押開片１２の内フラップ３側部分が押し下げられて、谷折線１８に沿って窪む方向へ折れ曲がり、これに伴い、押開片１２の端壁１側部分が押し出され、山折線１６に沿って外側へ突出するように折れ曲がる。
【００２３】
このような押開片１２の折れ曲がりに伴い、押開片１２の狭幅部１７からはみ出したテープＴの端部が端壁１から浮き上がるので、端壁１から浮き上がったテープＴの端部を摘み、図６に示すように、テープＴを端壁１及び外フラップ４から剥がすことにより、段ボール箱を容易に開封することができる。
【００２４】
また、このとき、垂直面での押込操作が不要であることから、図示のように高さの低い箱であっても、作業が困難となることがない。
【００２５】
なお、上記実施形態では、押開片１２の内フラップ３側部分に、幅方向の谷折線１８を入れたものを例示したが、谷折線１８を省略しても、図７及び図８に示すように、外フラップ４の突合縁に臨む端部を上方から押し下げると、押開片１２の内フラップ３側部分が押し下げられて、端壁１側部分が外側へ突出するように折れ曲がり、押開片１２の狭幅部１７からはみ出したテープＴの端部が端壁１から浮き上がるので、開封性が向上する。
【００２６】
しかしながら、押開片１２の内フラップ３側部分に谷折線１８を設けておく方が、外フラップ４の突合縁に臨む端部を押し下げたとき、押開片１２の端壁１側部分が外側へ確実に折れ曲がりやすくなる。
【００２７】
また、押開片１２の狭幅部１７は、押開片１２の山折線１６より上方部分に対して、両側が共に内側へずれたものを例示したが、片側のみ内側へずれたもののほか、両側又は片側の一部が括れたもの等、テープＴが側方へはみ出すものであればよい。
【符号の説明】
【００２８】
１  端壁
２  側壁
３，５  内フラップ
４，６  外フラップ
７  継代片
１１  切込
１２  押開片
１３，１５，１６  山折線
１４，１８  谷折線
１７  狭幅部
Ｔ  テープ
【図１】
2014046920.tif 000003
【図２】
2014046920.tif 000004
【図３】
2014046920.tif 000005
【図４】
2014046920.tif 000006
【図５】
2014046920.tif 000007
【図６】
2014046920.tif 000008
【図７】
2014046920.tif 000009
【図８】
2014046920.tif 000010
【図９】
2014046920.tif 000011